(57)【要約】【課題】  外観上すっきりとしたデザインにすることができるカップホルダの提供。【解決手段】  飲料容器１５を受けるように上方が開口し、開口縁部が把持部として低伝熱体で形成され、把持部を除く本体部２７が伝熱体で形成される内ケース１６と、内ケース１６を受けるように上方が開口し、内ケース１６との接触部にペルチェ素子４１が配設された外ケース１７とを備えたカップホルダ１０であって、内ケース１６は外ケース１７に対し複数の向きで装着可能であり、内ケース１６の外ケース１７に対する装着の向きの変更によってペルチェ素子４１を変更制御する制御手段５５，５６，５７を備える。【選択図】        図３
2005254854.tif 000002
【特許請求の範囲】
【請求項１】
飲料容器を受けるように上方が開口し、開口縁部が把持部として低伝熱体で形成され、該把持部を除く本体部が伝熱体で形成される内ケースと、
該内ケースを受けるように上方が開口し、該内ケースとの接触部にペルチェ素子が配設された外ケースとを備えたカップホルダであって、
前記内ケースは前記外ケースに対し複数の向きで装着可能であり、
前記内ケースの前記外ケースに対する装着の向きの変更によって前記ペルチェ素子を変更制御する制御手段を備えることを特徴とするカップホルダ。
【請求項２】
前記制御手段は、検出子と該検出子に電気的に直接接続されずに該検出子を検出可能な検出部とを備えた近接スイッチを有することを特徴とする請求項１記載のカップホルダ。
【請求項３】
前記近接スイッチは、前記内ケースに設けられた磁性体と、前記外ケースに設けられて前記ペルチェ素子に接続されるスイッチ本体とを有し、前記内ケースの前記外ケースに対する装着の向きの変更によって前記内ケースに設けられた磁性体が前記スイッチ本体を変更制御することを特徴とする請求項２記載のカップホルダ。
【請求項４】
前記ペルチェ素子に接続される伝熱部を、前記外ケースの下方かつ空調ユニットからの送風流路内に設けたことを特徴とする請求項１乃至３のいずれか一項記載のカップホルダ。
【請求項５】
前記内ケースは、飲料容器を受ける受部が２つ以上併設されるとともに、前記外ケースは前記受部それぞれに対応して前記ペルチェ素子が併設され、各ペルチェ素子の前記内ケースとは反対側同士が伝熱材で接続されていることを特徴とする請求項１乃至３のいずれか一項記載のカップホルダ。
【発明の詳細な説明】
【技術分野】
【０００１】
本発明は、車両の車室内に設けられて飲料容器を保持するカップホルダに関する。
【背景技術】
【０００２】
車両の車室内に設けられて飲料容器を保持するカップホルダにおいて、ペルチェ素子を用いて飲料容器を加熱・冷却する際にペルチェ素子にかける電流を切り替えて加熱・冷却を切り替えるものがあり（例えば、特許文献１，２参照）、その中には外面に設けられた手動スイッチが手動操作されることで加熱・冷却が切り替えられるものがある（例えば、特許文献２参照）。このようなカップホルダにおける加熱・冷却の切り替えは、通常、飲料容器を初めに搭載するときに行われることになり、一旦飲料容器を搭載して加熱または冷却している最中に切り替えられることはほとんどない。
【特許文献１】実開平５−５８４６９号公報
【特許文献２】特開２０００−２３４８３６号公報
【発明の開示】
【発明が解決しようとする課題】
【０００３】
上記のように加熱・冷却の切替のために手動スイッチが設けられていると、外観上すっきりとしたデザインにできないという問題があった。
【０００４】
したがって、本発明は、外観上すっきりとしたデザインにすることができるカップホルダの提供を目的とする。
【課題を解決するための手段】
【０００５】
上記目的を達成するために、請求項１に係る発明は、飲料容器（例えば実施形態における飲料容器１５）を受けるように上方が開口し、開口縁部が把持部（例えば実施形態における把持部３０，８４）として低伝熱体で形成され、該把持部を除く本体部（例えば実施形態における本体部４０，８１）が伝熱体で形成される内ケース（例えば実施形態における内ケース１６，６１）と、該内ケースを受けるように上方が開口し、該内ケースとの接触部にペルチェ素子（例えば実施形態におけるペルチェ素子４１，１０６〜１０９）が配設された外ケース（例えば実施形態における外ケース１７，６２）とを備えたカップホルダ（例えば実施形態におけるカップホルダ１０，６０）であって、前記内ケースは前記外ケースに対し複数の向きで装着可能であり、前記内ケースの前記外ケースに対する装着の向きの変更によって前記ペルチェ素子を変更制御する制御手段（例えば実施形態における磁性体５５，５５Ａ，５５Ｂ，１１４、スイッチ本体５６，５７，１１５，１１６）を備えることを特徴としている。
【０００６】
請求項２に係る発明は、請求項１に係る発明において、前記制御手段は、検出子（例えば実施形態における磁性体５５，５５Ａ，５５Ｂ，１１４）と該検出子に電気的に直接接続されずに該検出子を検出可能な検出部（例えば実施形態におけるスイッチ本体５６，５７，１１５，１１６）とを備えた近接スイッチ（例えば実施形態における近接スイッチ５８，１１７）を有することを特徴としている。
【０００７】
請求項３に係る発明は、請求項２に係る発明において、前記近接スイッチは、前記内ケースに設けられた磁性体（例えば実施形態における磁性体５５，５５Ａ，５５Ｂ，１１４）と、前記外ケースに設けられて前記ペルチェ素子に接続されるスイッチ本体（例えば実施形態における５６，５７，１１５，１１６）とを有し、前記内ケースの前記外ケースに対する装着の向きの変更によって前記内ケースに設けられた磁性体が前記スイッチ本体を変更制御することを特徴としている。
【０００８】
請求項４に係る発明は、請求項１乃至３のいずれか一項に係る発明において、前記ペルチェ素子に接続される伝熱部（例えば実施形態における伝熱部４７）を、前記外ケースの下方かつ空調ユニットからの送風流路（例えば実施形態における送風流路５１）内に設けたことを特徴としている。
【０００９】
請求項５に係る発明は、請求項１乃至３のいずれか一項に係る発明において、前記内ケースは、飲料容器を受ける受部（例えば実施形態における受部８８〜９１）が２つ以上併設されるとともに、前記外ケースは前記受部それぞれに対応して前記ペルチェ素子が併設され、各ペルチェ素子の前記内ケースとは反対側同士が伝熱材（例えば実施形態における伝熱材１１１，１１２）で接続されていることを特徴としている。
【発明の効果】
【００１０】
請求項１に係る発明によれば、内ケースの外ケースに対する装着の向きの変更によって制御手段がペルチェ素子を変更制御することになるため、内ケースの外ケースに対する装着の向きを替えるだけでペルチェ素子を変更制御でき、ペルチェ素子を変更制御するための手動スイッチが不要となる。したがって、外観上すっきりとしたデザインにすることができる。また、内ケースを把持部を持って外ケースから取り外すと飲料容器を内ケースごと持ち運ぶことができる。このようにすれば、飲料容器の温度が容器単体の場合に比べて変わりにくく保温性能を確保できる。
【００１１】
請求項２に係る発明によれば、制御手段が、検出子とこの検出子に電気的に直接接続されずにこの検出子を検出可能な検出部とを備えた近接スイッチを有するため、簡素な構成で、ペルチェ素子を変更制御できる。
【００１２】
請求項３に係る発明によれば、内ケースの外ケースに対する装着の向きの変更によって内ケースに設けられた磁性体が外ケースに設けられたスイッチ本体を変更制御してペルチェ素子を変更制御することになるため、磁性体および磁性体で変更制御されるスイッチ本体という簡素な構成で、ペルチェ素子を変更制御できる。また、磁性体もスイッチ本体も外ケースの外表面側には出ないようにできるため、さらに外観を向上させることができる。さらに、磁性体とスイッチ本体との組み合わせを適宜設定することで、ペルチェ素子の例えば加熱・冷却を切り替えたり、強弱を切り替えたりすることができる。
【００１３】
請求項４に係る発明によれば、外ケースの下方に設けられ、ペルチェ素子に接続される伝熱部が、空調ユニットからの送風流路内に設けられることで、空調ユニットからのエアと熱をやり取りし、ペルチェ素子の効率を向上させることができる。例えば、夏季等、空調ユニットから冷風が出されているときは、冷風で冷却される伝熱部がペルチェ素子の内ケースに対し反対側から熱を奪ってペルチェ素子の内ケース側の冷却効率を高めることができ、冬季等、空調ユニットから温風が出されているときは、温風で加熱される伝熱部がペルチェ素子の内ケースに対し反対側に熱を伝達してペルチェ素子の内ケース側の加熱効率を高めることができる。
【００１４】
請求項５に係る発明によれば、内ケースの一方の受部用のペルチェ素子を冷却用とし、他方の受部用のペルチェ素子を加熱用とした場合に、各ペルチェ素子の内ケースとは反対側同士を接続させた伝熱材を介して冷却用のペルチェ素子が発生させる熱を加熱用のペルチェ素子で吸収することができる。よって、温かい飲料と冷たい飲料とを同時につくる場合に外部と熱のやり取りをするためのフィン等が不要となり、さらに外観を向上させることができる。
【発明を実施するための最良の形態】
【００１５】
本発明の第１実施形態のカップホルダを図１〜図４を参照して以下に説明する。
【００１６】
第１実施形態のカップホルダ１０は、例えば、図１に示すように左右の前部座席１１同士の間に配置されるセンタコンソールボックス１２上に設けられており、センタコンソールボックス１２の前部に設けられたものが左右の前部座席１１の乗員により使用され、センタコンソールボックス１２の後部に設けられたものが左右の後部座席１３の乗員により使用される。
【００１７】
図２および図３に示すカップホルダ１０は、飲料容器１５を受けるように上方が開口する内ケース１６と、内ケース１６を受けるように上方が開口する外ケース１７とを有しており、外ケース１７においてセンタコンソールボックス１２上に設けられている。
【００１８】
内ケース１６は、四つの壁部２１〜２４が連結された筒部２５の一端側が底部２６で閉塞された有底筒状をなし銅等の熱伝導率が高い伝熱体からなる本体部２７と、樹脂等の熱伝導率が低い低伝熱体からなり本体部２７の開口縁部側に接着等で接合される環状の把持部３０とを有している。
【００１９】
本体部２７は底部２６が正方形状をなしており、筒部２５は、底部２６の各端縁部から立ち上がる四つの壁部２１〜２４が同じ幅をなしている。そして、筒部２５は、内周面２５ａが円筒面とされ、外周面２５ｂが底部２６と同じ断面正方形状をなしている。
【００２０】
把持部３０は、内周面３０ａが本体部２７の筒部２５の内周面２５ａと同軸同径の円筒面とされ、外周面３０ｂの下部が本体部２７の筒部２５の外周面２５ｂと同じ断面正方形状をなしていて、外周面３０ｂの上部が下部よりも外側に突出するフランジ部３１とされている。
【００２１】
上記内ケース１６には、円筒面をなす本体部２７の筒部２５の内周面２５ａおよび把持部３０の内周面３０ａにこれら内周面２５ａ，３０ａに円周方向においてほぼ全周が接触するように飲料容器１５が把持部３０の側から挿入されることになり、挿入された飲料容器１５は底部２６上に載置される。
【００２２】
つまり、内ケース１６は、飲料容器１５を受けるように上方が開口し、開口縁部が把持部３０として低伝熱体で形成され、この把持部３０を除く本体部２７が伝熱体で形成されている。
【００２３】
外ケース１７は、四つの壁部３３〜３６が連結された筒部３７の一端側に、中央に穴部３８が形成された底部３９を有する形状をなし樹脂等の熱伝導率が低い低伝熱体からなる本体部４０と、底部３９の穴部３８を閉塞するように取り付けられるペルチェ素子４１とを備えている。
【００２４】
本体部４０は筒部３７の四つの壁部３３〜３６が同じ幅をなしており、筒部３７の内周面３７ａが内ケース１６の本体部２７の筒部２５の外周面２５ｂとほぼ同じ断面正方形状をなし、外周面３７ｂが内周面３７ａよりも一回り大きな断面正方形状をなしている。
【００２５】
上記外ケース１７には、その筒部３７の内周面３７ａに内ケース１６が開口側から挿入されることになり、挿入された内ケース１６はペルチェ素子４１上に載置される。このとき、内ケース１６の本体部２７がペルチェ素子４１の上面４１ａに接触する。
【００２６】
つまり、外ケース１７は、内ケース１６を受けるように上方が開口し、内ケース１６との接触部にペルチェ素子４１が配設されている。
【００２７】
外ケース１７の下側には、基台部４５に多数のフィン４６が並設された形状の伝熱部４７が基台部４５において接合されている。この伝熱部４７はその基台部４５がペルチェ素子４１の下面４１ｂに接触することになり、フィン４６がセンタコンソールボックス１２内に設けられたダクト５０内に配置される。このダクト５０は、図示略の空調ユニットからのエアを後部座席１３側に導く送風流路５１を内側に形成するものである。
【００２８】
つまり、ペルチェ素子４１に接続される伝熱部４７が、外ケース１７の下方かつ空調ユニットからの送風流路５１内に設けられている。
【００２９】
ここで、上記のように、内ケース１６の筒部２５の外周面２５ｂが断面正方形状をなしており、外ケース１７の筒部３７の内周面３７ａが内ケース１６の筒部２５を嵌合可能な断面正方形状をなしていることから、内ケース１６を鉛直軸周りに水平回転させることで内ケース１６は外ケース１７に対し複数の向きで装着可能となっている。
【００３０】
そして、内ケース１６には、一の壁部２１の幅方向の中央位置に外面側に偏って磁性体（制御手段，検出子）５５が埋設されている。磁性体５５は、例えばマグネットからなる。
【００３１】
これに対して、外ケース１７には、隣り合う二つの壁部３３，３４のそれぞれの幅方向の中央位置に内面側に偏ってスイッチ本体（制御手段，検出部）５６，５７が埋設されている。スイッチ本体５６，５７は、例えばリードスイッチや磁性抵抗素子（ホール素子）等を用いたもので、磁性体５５の接近・離間に反応してオン・オフが切り替えられるものである。つまり、磁性体５５とスイッチ本体５６，５７とが、互いに電気的に直接接続されずに磁性体５５をスイッチ本体５６，５７で検出可能な近接スイッチ５８を構成している。
【００３２】
一方のスイッチ本体５６は、磁性体５５が接近することでオンされるとペルチェ素子４１に一方向の電流を流すもので、他方のスイッチ本体５７は、磁性体５５が接近することでオンされるとペルチェ素子４１に上記とは逆方向の電流を流す。ここで、ペルチェ素子４１は、例えば、一方向に電流が流れると上面４１ａが温かくかつ下面４１ｂが冷たくなる一方、逆方向に電流が流れると上面４１ａが冷たくかつ下面４１ｂが温かくなる。
【００３３】
つまり、飲料容器１５が挿入された内ケース１６を外ケース１７に挿入する際に、磁性体５５を一方のスイッチ本体５６に接近させる向きで嵌合させると、一方のスイッチ本体５６が、磁性体５５が接近することでオンされてペルチェ素子４１に一方向の電流を流す。これにより、ペルチェ素子４１は上面４１ａが温かくかつ下面４１ｂが冷たくなって飲料容器１５を加熱する。なお、このとき他方のスイッチ本体５７は磁性体５５が離れていることからオフ状態とされる。
【００３４】
このように飲料容器１５を加熱するのは通常外気が低い冬季であり、ダクト５０には温風が流れることになる。ペルチェ素子４１は下面４１ｂが冷たくなっていることから伝熱部４７が冷たくなるが、伝熱部４７がダクト５０を流れる温風で温められ、その結果、ペルチェ素子４１の下面４１ｂが熱を放出し上面４１ａがさらに温かくなる。
【００３５】
ここで、図示は略すが、この向きで内ケース１６を外ケース１７に挿入すると飲料容器１５が加熱されることを示す表示が、この向きで内ケース１６を外ケース１７に挿入すると位置が合うように内ケース１６と外ケース１７とに形成されている。
【００３６】
また、飲料容器１５が挿入された内ケース１６を外ケース１７に挿入する際に、上記に対して９０度回して、磁性体５５を他方のスイッチ本体５７に接近させる向きで嵌合させると、他方のスイッチ本体５７が、磁性体５５が接近することでオンされてペルチェ素子４１に上記とは逆方向の電流を流す。これにより、ペルチェ素子４１は上記とは逆に上面４１ａが冷たくかつ下面４１ｂが温かくなって飲料容器１５を冷却する。なお、このとき一方のスイッチ本体５６は磁性体５５が離れていることからオフ状態とされる。
【００３７】
このように飲料容器１５を冷却するのは通常外気が高い夏季であり、ダクト５０には冷風が流れることになる。ペルチェ素子４１は下面４１ｂが温かくなっていることから伝熱部４７が温かくなるが、伝熱部４７がダクト５０を流れる冷風で冷やされ、その結果、ペルチェ素子４１の下面４１ｂから熱が奪われて上面４１ａがさらに冷たくなる。
【００３８】
ここで、図示は略すが、この向きで内ケース１６を外ケース１７に挿入すると飲料容器１５が冷却されることを示す表示が、この向きで内ケース１６を外ケース１７に挿入すると位置が合うように内ケース１６と外ケース１７とに形成されている。
【００３９】
内ケース１６を外ケース１７に挿入する際に、飲料容器１５の上記した加熱時および冷却時とは異なる方向で挿入し、磁性体５５を一方のスイッチ本体５６および他方のスイッチ本体５７のいずれにも接近させない向きで嵌合させると、これらスイッチ本体５６，５７は磁性体５５が離れていることからいずれもオフ状態とされる。これにより、ペルチェ素子４１は通電されない状態となる。
【００４０】
ここで、図示は略すが、この向きで内ケース１６を外ケース１７に挿入すると温冷がオフされることを示す表示が、この向きで内ケース１６を外ケース１７に挿入すると位置が合うように内ケース１６と外ケース１７とに形成されている。
【００４１】
以上のように、内ケース１６の外面側に設けられた磁性体５５および外ケース１７の内面側に設けられてペルチェ素子４１に接続される二つのスイッチ本体５６，５７は、内ケース１６の外ケース１７に対する装着の向きの変更によって内ケース１６に設けられた磁性体５５が二つのスイッチ本体５６，５７を変更制御することになり、言い換えれば内ケース１６の外ケース１７に対する装着の向きの変更によってペルチェ素子４１を変更制御する。
【００４２】
以上に述べた第１実施形態のカップホルダ１０によれば、内ケース１６の外ケース１７に対する装着の向きの変更によって磁性体５５およびスイッチ本体５６，５７がペルチェ素子４１を変更制御することになるため、内ケース１６の外ケース１７に対する装着の向きを替えるだけでペルチェ素子４１を変更制御でき、ペルチェ素子４１を変更制御するための手動スイッチが不要となる。したがって、外観上すっきりとしたデザインにすることができる。また、内ケース１６を把持部３０を持って外ケース１７から取り外すと飲料容器１５を内ケース１６ごと持ち運ぶことができる。このようにすれば、飲料容器１５の温度が容器単体の場合に比べて変わりにくく保温性能を確保できる。
【００４３】
また、磁性体５５および磁性体５５で変更制御されるスイッチ本体５６，５７という簡素な構成で、ペルチェ素子４１を変更制御できる。加えて、磁性体５５もスイッチ本体５６，５７も外ケース１７の外表面側には出てこないため、さらに外観を向上させることができる。さらに、磁性体５５とスイッチ本体５６，５７との組み合わせを適宜設定することで、内ケース１６の外ケース１７に対する装着の向きの変更によって上記のようにペルチェ素子４１の加熱・冷却を切り替えたり、加熱または冷却の強弱を切り替えたりすることができる。
【００４４】
さらに外ケース１７の下方に設けられ、ペルチェ素子４１に接続される伝熱部４７が、空調ユニットからの送風流路５１内に設けられることで、空調ユニットからのエアと熱をやり取りし、ペルチェ素子４１の効率を向上させることができる。例えば、夏季等、空調ユニットから冷風が出されているときは、冷風で冷却される伝熱部４７がペルチェ素子４１の下面４１ｂから熱を奪ってペルチェ素子４１の上面４１ａ側による冷却効率を高めることができ、冬季等、空調ユニットから温風が出されているときは、温風で加熱される伝熱部４７がペルチェ素子４１の下面４１ｂに熱を伝達してペルチェ素子４１の上面４１ａ側による加熱効率を高めることができる。ここで、空調ユニットからの送風流路５１ではなくアウトレットからの風を利用しても良い。
【００４５】
なお、第１実施形態においては、磁性体５５とスイッチ本体５６，５６の配置および組み合わせは、例えば図４に示すように種々の変更が可能である。
【００４６】
すなわち、内ケース１６に、隣り合う壁部２１，２２の相反側に偏ってそれぞれ磁性体（制御手段，検出子）５５Ａ，５５Ｂが埋設されており、外ケース１７の一つの壁部３３に間隔をあけてスイッチ本体５６，５７が二つ埋設されている。この場合、一方のスイッチ本体５６は、磁性体５５Ａが接近することでオンされるとペルチェ素子４１に一方向の電流を流し、他方のスイッチ本体５７は、磁性体５５Ｂが接近することでオンされるとペルチェ素子４１に上記とは逆方向の電流を流す。この場合、磁性体５５Ａ，５５Ｂとスイッチ本体５６，５７とが、互いに電気的に直接接続されずに磁性体５５Ａ，５５Ｂをスイッチ本体５６，５７で検出可能な近接スイッチ５８を構成している。
【００４７】
そして、飲料容器１５が挿入された内ケース１６を外ケース１７に挿入する際に、一方の磁性体５５Ａを一方のスイッチ本体５６に接近させる向きで嵌合させると、一方のスイッチ本体５６がオンされてペルチェ素子４１に一方向の電流を流すことになり、ペルチェ素子４１は例えば上面４１ａが温かくかつ下面４１ｂが冷たくなって飲料容器１５を加熱する。このとき他方のスイッチ本体５７は二つの磁性体５５Ａ，５５Ｂが離れていることからオフ状態とされる。
【００４８】
また、飲料容器１５が挿入された内ケース１６を外ケース１７に挿入する際に、上記に対して９０度回して他方の磁性体５５Ｂを他方のスイッチ本体５７に接近させる向きで嵌合させると、他方のスイッチ本体５７がオンされてペルチェ素子４１に逆方向の電流を流すことになり、ペルチェ素子４１は上記とは逆に上面４１ａが冷たくかつ下面４１ｂが温かくなって飲料容器１５を冷却する。なお、このとき一方のスイッチ本体５６は二つの磁性体５５Ａ，５５Ｂから離れていることからオフ状態とされる。
【００４９】
さらに、内ケース１６を外ケース１７に挿入する際に、飲料容器１５の上記した加熱時および冷却時とは異なる方向で挿入し、磁性体５５を一方のスイッチ本体５６および他方のスイッチ本体５７のいずれにも接近させない向きで嵌合させると、これらスイッチ本体５６，５７は磁性体５５Ａ，５５Ｂが離れていることからいずれもオフ状態とされる。これにより、ペルチェ素子４１は通電されない状態となる。
【００５０】
つまり、内ケース１６の外面側に設けられた二つの磁性体５５Ａ，５５Ｂおよび外ケース１７の内面側に設けられてペルチェ素子４１に接続される二つのスイッチ本体５６，５７が、内ケース１６の外ケース１７に対する装着の向きの変更によってペルチェ素子４１を変更制御する。
【００５１】
次に、本発明の第２実施形態のカップホルダを図５〜図７を参照して以下に説明する。なお、第１実施形態と同様の部分には同一の符号を付しその説明は略す。
【００５２】
図５に示すように第２実施形態のカップホルダ６０はセンタコンソールボックス１２上に設けられており、図６および図７に示すように、飲料容器１５を受けるように上方が開口する内ケース６１と、内ケース６１を受けるように上方が開口する外ケース６２とを有し、外ケース６２においてセンタコンソールボックス１２上に設けられている。
【００５３】
内ケース６１は、四つの壁部６４〜６７とその内側を四つに区画して四つの筒部６９〜７２を形成する四つの区画壁部７４〜７７とを有する多筒部７９の一端側が底部８０で閉塞された形状をなし銅等の熱伝導率が高い伝熱体からなる本体部８１と、樹脂等の熱伝導率が低い低伝熱体からなり本体部８１の開口縁部側に接着等で接合される把持部８４とを有している。
【００５４】
本体部８１は底部８０が正方形状をなしており、多筒部７９は、底部８０の各端縁部から立ち上がる四つの壁部６４〜６７が同じ幅をなし、四つの区画壁部７４〜７７も同じ幅をなしている。そして、多筒部７９は、外周面７９ｂが底部８０と同じ断面正方形状をなしており、各筒部６９〜７２の内周面６９ａ〜７２ａが円筒面とされている。
【００５５】
把持部８４は、内周面８４ａが本体部８１のすべての筒部６９〜７２の外側を囲む断面正方形状とされ、外周面８４ｂの下部が本体部８１の多筒部７９の外周面７９ｂと同じ断面正方形状をなしていて、外周面８４ｂの上部が下部よりも外側に突出するフランジ部８６とされている。
【００５６】
内ケース６１の各筒部６９〜７２と、底部８０の各筒部６９〜７２に対応する部分とが飲料容器１５を受ける受部８８〜９１を構成しており、内ケース６１は、各受部８８〜９１において、円筒面をなす筒部６９〜７２の内周面６９ａ〜７２ａに円周方向のほぼ全周にわたって接触するように飲料容器１５が把持部８４の側から挿入されることになり、挿入された飲料容器１５は底部８０上に載置される。
【００５７】
つまり、内ケース６１は、飲料容器１５を受けるように上方が開口し、開口縁部が把持部８４として低伝熱体で形成され、この把持部８４を除く本体部８１が伝熱体で形成されている。また、内ケース６１は、飲料容器１５を受ける受部８８〜９１が２つ以上の４つ併設されている。
【００５８】
外ケース６２は、四つの壁部９４〜９７が連結された筒部９８の一端側に、四つの穴部１００〜１０３が形成された底部１０４を有する形状をなし樹脂等の熱伝導率が低い低伝熱体からなる本体部１０５と、底部１０４の各穴部１００〜１０３を閉塞するように取り付けられる四つのペルチェ素子１０６〜１０９とを備えている。
【００５９】
本体部１０５は筒部９８の四つの壁部９４〜９７が同じ幅をなしており、筒部９８の内周面９８ａが内ケース６１の本体部８１の多筒部７９の外周面７９ｂとほぼ同じ断面正方形状をなし、筒部９８の外周面９８ｂが内周面９８ａよりも一回り大きな断面正方形状をなしている。
【００６０】
上記外ケース６２には、その筒部９８の内周面９８ａに内ケース６１が開口側から挿入されることになり、挿入された内ケース６１は各筒部６９〜７２がペルチェ素子１０６〜１０９上に一対一で対応するように載置される。このとき、内ケース６１の本体部８１がすべてのペルチェ素子１０６〜１０９の上面１０６ａ〜１０９ａに接触する。
【００６１】
また、外ケース６２には、例えば車幅方向に隣り合うペルチェ素子１０６，１０７の下面１０６ｂ，１０７ｂ同士を接続させるように、底部１０４の下部に伝熱材１１１が設けられており、同様に、隣り合うペルチェ素子１０８，１０９の図示略の下面同士を接続させるように、底部１０４の下部に伝熱材１１２が設けられている。伝熱材１１１はペルチェ素子１０６，１０７の各下面１０６ｂ，１０７ｂに接触させられており、伝熱材１１２はペルチェ素子１０８，１０９の図示せぬ各下面に接触させられている。
【００６２】
つまり、外ケース６２は、内ケース６１を受けるように上方が開口し、内ケース６１との接触部にペルチェ素子１０６〜１０９が配設されている。また、外ケース６２は内ケース６１の受部８８〜９１のそれぞれに対応してペルチェ素子１０６〜１０９が併設され、各ペルチェ素子１０６〜１０９の内ケース６１とは反対側同士が伝熱材１１１，１１２で接続されている。これら伝熱材１１１，１１２はフィンを持たず、空調ユニットからのダクト内にも配置されていない。
【００６３】
ここで、上記のように、内ケース６１の多筒部７９の外周面７９ｂが断面正方形状をなしており、外ケース６２の筒部９８の内周面９８ａが内ケース６１の多筒部７９を嵌合可能な断面正方形状をなしていることから、内ケース６１を水平回転させることで内ケース６１は外ケース６２に対し複数の向きで装着可能となっている。
【００６４】
そして、内ケース６１には、一の壁部６４の幅方向の中央位置に外面側に偏って磁性体（制御手段，検出子）１１４が埋設されている。磁性体１１４は、例えばマグネットからなる。
【００６５】
これに対して、外ケース６２には、隣り合う二つの壁部９４，９５のそれぞれの幅方向の中央位置に内面側に偏ってスイッチ本体１１５，１１６が埋設されている。スイッチ本体（制御手段，検出部）１１５，１１６は、例えばリードスイッチや磁性抵抗素子（ホール素子）等を用いたもので、磁性体１１４の接近・離間に反応してオン・オフが切り替えられるものである。この場合、磁性体１１４とスイッチ本体１１５，１１６とが、互いに電気的に直接接続されずに磁性体１１４をスイッチ本体１１５，１１６で検出可能な近接スイッチ１１７を構成している。
【００６６】
一方のスイッチ本体１１５は、磁性体１１４が接近することでオンされるとすべてのペルチェ素子１０６〜１０９に一方向の電流を流すもので、他方のスイッチ本体１１６は、磁性体１１４が接近することでオンされるとすべてのペルチェ素子１０６〜１０９に上記とは逆方向の電流を流す。
【００６７】
ここで、伝熱材１１１で連結される前側のペルチェ素子１０６，１０７は、互いに温冷を逆にすることになり、例えば、一方向に電流が流れると前側の一方のペルチェ素子１０６は上面１０６ａが温かくかつ下面１０６ｂが冷たくなり、前側の他方のペルチェ素子１０７は上面１０７ａが冷たくかつ下面１０７ｂが温かくなる。また、逆方向に電流が流れると前側の一方のペルチェ素子１０６は上面１０６ａが冷たくかつ下面１０６ｂが温かくなり、前側の他方のペルチェ素子１０７は上面１０７ａが温かくかつ下面１０７ｂが冷たくなる。
【００６８】
また、伝熱材１１２で連結される後側のペルチェ素子１０８，１０９も、互いに温冷を逆にすることになり、しかも前後に隣り合うもの同士も温冷を逆にするように設定されている。つまり、一方向に電流が流れると後側の一方のペルチェ素子１０８は上面１０８ａが冷たくかつ下面が温かくなり、後側の他方のペルチェ素子１０９は上面１０９ａが温かくかつ下面が冷たくなる。また、逆方向に電流が流れると後側の一方のペルチェ素子１０８は上面１０８ａが温かくかつ下面が冷たくなり、後側の他方のペルチェ素子１０９は上面１０９ａが冷たくかつ下面が温かくなる。
【００６９】
そして、飲料容器１５が受部８８〜９１に挿入された内ケース６１を外ケース６２に挿入する際に、磁性体１１４を一方のスイッチ本体１１５に接近させる向きで嵌合させると、一方のスイッチ本体１１５が、磁性体１１４が接近することでオンされてすべてのペルチェ素子１０６〜１０９に一方向の電流を流す。
【００７０】
これにより、伝熱材１１１で連結された前側の一方である受部８８のペルチェ素子１０６は上面１０６ａが温かくかつ下面１０６ｂが冷たくなって飲料容器１５を加熱するとともに、前側の他方である受部８９のペルチェ素子１０７は逆に上面１０７ａが冷たくかつ下面１０７ｂが温かくなって飲料容器１５を冷却する。また、伝熱材１１２で連結された後側の一方である受部９０のペルチェ素子１０８は上面１０８ａが冷たくかつ下面が温かくなって飲料容器１５を冷却するとともに、後側の他方である受部９１のペルチェ素子１０９は逆に上面１０９ａが温かくかつ下面が冷たくなって飲料容器１５を加熱する。このとき、前側においては、伝熱材１１１を介して他方のペルチェ素子１０７から一方のペルチェ素子１０６へ熱が伝達されることになり、後側においては、伝熱材１１２を介して一方のペルチェ素子１０８から他方のペルチェ素子１０９へ熱が伝達されることになる。なお、このとき他方のスイッチ本体１１６は磁性体１１４が離れていることからオフ状態とされる。
【００７１】
また、飲料容器１５が挿入された内ケース６１を外ケース６２に挿入する際に、上記に対して９０度回して、磁性体１１４を他方のスイッチ本体１１６に接近させる向きで嵌合させると、他方のスイッチ本体１１６が、磁性体１１４が接近することでオンされてすべてのペルチェ素子１０６〜１０９に逆方向の電流を流す。
【００７２】
これにより、伝熱材１１１で連結された前側の一方のペルチェ素子１０６は上面１０６ａが冷たくかつ下面１０６ｂが温かくなって飲料容器１５を冷却するとともに、前側の他方のペルチェ素子１０７は逆に上面１０７ａが温かくかつ下面１０７ｂが冷たくなって飲料容器１５を加熱する。また、伝熱材１１２で連結された後側の一方のペルチェ素子１０８は上面１０８ａが温かくかつ下面が冷たくなって飲料容器１５を加熱するとともに、後側の他方のペルチェ素子１０９は逆に上面１０９ａが冷たくかつ下面が温かくなって飲料容器１５を冷却する。このとき、前側においては、伝熱材１１１を介して一方のペルチェ素子１０６から他方のペルチェ素子１０７へ熱が伝達されることになり、後側においては、伝熱材１１２を介して他方のペルチェ素子１０９から一方のペルチェ素子１０８へ熱が伝達されることになる。なお、このとき一方のスイッチ本体１１５は磁性体１１４が離れていることからオフ状態とされる。
【００７３】
内ケース６１を外ケース６２に挿入する際に、飲料容器１５の上記した加熱時および冷却時とは異なる方向で挿入し、磁性体１１４をスイッチ本体１１５，１１６のいずれにも接近させない向きで嵌合させると、これらスイッチ本体１１５，１１６は磁性体１１４が離れていることからいずれもオフ状態とされる。これにより、ペルチェ素子１０６〜１０９は通電されない状態になる。
【００７４】
第２実施形態においても、内ケース６１の外面側に設けられた磁性体１１４および外ケース６２の内面側に設けられてペルチェ素子１０６〜１０９に接続される二つのスイッチ本体１１５，１１６は、内ケース６１の外ケース６２に対する装着の向きの変更によって内ケース６１に設けられた磁性体１１４が二つのスイッチ本体１１５，１１６を変更制御することになり、言い換えれば、内ケース６１の外ケース６２に対する装着の向きの変更によってペルチェ素子１０６〜１０９を変更制御する。
【００７５】
以上に述べた第２実施形態のカップホルダ６０によれば、磁性体１１４およびスイッチ本体１１５，１１６が内ケース６１の外ケース６２に対する装着の向きの変更によってペルチェ素子１０６〜１０９を変更制御することになるため、第１実施形態と同様の効果を発揮する。
【００７６】
また、例えば、内ケース６１の伝熱材１１１で連結された一方の受部８８用のペルチェ素子１０６を加熱用とし、他方の受部８９用のペルチェ素子１０７を冷却用とした場合に、伝熱材１１１を介して冷却用のペルチェ素子１０７が発生させる熱を加熱用のペルチェ素子１０６で吸収することができて、両ペルチェ素子１０６，１０７の効率を向上させることができる。同様に、例えば、伝熱材１１２で連結された一方の受部９０用のペルチェ素子１０８を冷却用とし、他方の受部９１用のペルチェ素子１０９を加熱用とした場合に、伝熱材１１２を介して冷却用のペルチェ素子１０８が発生させる熱を加熱用のペルチェ素子１０９で吸収することができて、両ペルチェ素子１０８，１０９の効率を向上させることができる。よって、温かい飲料と冷たい飲料とを同時につくることができ、その場合にペルチェ素子１０６〜１０９の効率を向上させた上で、外部と熱のやり取りをするためのフィン等を不要にでき、さらに外観を向上させることができる。
【００７７】
なお、第２実施形態においても、磁性体１１４とスイッチ本体１１５，１１６の配置および組み合わせは、種々の変更が可能である。この場合、磁性体１１４とスイッチ本体１１５，１１６との組み合わせを適宜設定することで、内ケース６１の外ケース６２に対する装着の向きの変更によって上記のようにペルチェ素子１０６〜１０９の加熱・冷却を切り替える以外にも、加熱または冷却の強弱を切り替えたりすることができる。
【００７８】
ここで、第１実施形態および第２実施形態のいずれにおいても、内ケース１６，６１および外ケース１７，６２の嵌合部分の断面形状を上記した正方形以外の、例えば三角形状あるいは五角形以上の多角形状としても良く、さらには円形状として凹凸等の位置決め部を設けても良い。
【００７９】
また、第１実施形態および第２実施形態のいずれにおいても、近接スイッチ５８，１１７としては、検出子とこの検出子に電気的に直接接続されずにこの検出子を検出可能な検出部とを備えたものであれば、例えば、検出部として発光素子および受光素子を設け検出子として発光素子の光を受光素子に向けて反射させる反射板を設けたり等種々のものを用いることができる。
【００８０】
さらに、第１実施形態および第２実施形態のいずれにおいても、内ケース１６，６１および外ケース１７，６２の向きでペルチェ素子４１，１０６〜１０９をオフするのではなく、飲料容器１５があることを検出する検出スイッチを設け、この検出スイッチが飲料容器１５を検出しないときにペルチェ素子４１，１０６〜１０９をオフしても良い。この場合、検出スイッチとしては飲料容器１５の重量でオンオフされる圧力スイッチや、飲料容器１５があることを光学的に検出する光スイッチ等を用いることが可能である。
【図面の簡単な説明】
【００８１】
【図１】本発明の第１実施形態のカップホルダが設けられた車両の車室内を示す平面図である。
【図２】本発明の第１実施形態のカップホルダを示す正断面図である。
【図３】本発明の第１実施形態のカップホルダを示す平断面図である。
【図４】本発明の第１実施形態のカップホルダの別の例を示す平断面図である。
【図５】本発明の第２実施形態のカップホルダが設けられた車両の車室内を示す平面図である。
【図６】本発明の第２実施形態のカップホルダを示す正断面図である。
【図７】本発明の第２実施形態のカップホルダを示す平断面図である。
【符号の説明】
【００８２】
１０，６０  カップホルダ
１５  飲料容器
１６，６１  内ケース
１７，６２  外ケース
３０，８４  把持部
４０，８１  本体部
４１，１０６〜１０９  ペルチェ素子
４７  伝熱部
５１  送風流路
５５，５５Ａ，５５Ｂ，１１４  磁性体（制御手段）
５６，５７，１１５，１１６  スイッチ本体（制御手段）
５８，１１７  近接スイッチ
８８〜９１  受部
１１１，１１２  伝熱材
【図１】
2005254854.tif 000003
【図２】
2005254854.tif 000004
【図３】
2005254854.tif 000005
【図４】
2005254854.tif 000006
【図５】
2005254854.tif 000007
【図６】
2005254854.tif 000008
【図７】
2005254854.tif 000009